(57)【特許請求の範囲】
【請求項１】
レンズ（３）を保持する前フレーム（２）であって、当該前フレーム（２）の両端から横断方向に延在して形成された一対の突出部（４）を含む前フレーム（２）と、
前記突出部（４）の各々に関節接続され、眼鏡フレーム（１）の着用者に装着される一対のテンプル・アーム（５）と、
前記突出部（４）の各々と、各突出部（４）に対応する前記テンプル・アーム（５）との間を関節接続する関節接合手段（６）と、
を有し、
前記テンプル・アーム（５）の先端の一部分（５ｃ）は、前記突出部（４）に面し、
前記関節接合手段（６）は、前記突出部（４）および前記テンプル・アーム（５）とは構造的に独立した弾性要素（８）を有し、
前記弾性要素（８）は、前記テンプル・アーム（５）に取り付けられる第一の先端（８ａ）と、前記突出部（４）を貫通する開口部（９）と所定の連結遊びをもって前記開口部（９）に嵌め込まれ、かつ、前記テンプル・アーム（５）が前記前フレーム（２）に対して開いた位置から閉じた位置に回動しても、当該嵌め込み状態が維持される反対側の第二の先端（８ｂ）と、を有し、
前記弾性要素（８）の前記第二の先端（８ｂ）は、前記突出部（４）に面する前記テンプル・アーム（５）の前記先端の前記一部分（５ｃ）と当接するまで、前記テンプル・アーム（５）の延長部の長手軸方向に対して横断方向に前記突出部（４）を貫通する前記開口部（９）に嵌め込まれるよう曲げられ、前記突出部（４）の部分（４ｃ）は前記弾性要素（８）と前記テンプル・アーム（５）との間で保持され、前記弾性要素（８）の弾性的な戻り力に対抗して前記テンプル・アーム（５）に対して回動して移動され、
前記開口部（９）は、前記テンプル・アーム（５）に面する前記突出部（４）の自由縁（７）から離間し、前記自由縁（７）と前記開口部（９）との間に延在する前記突出部（４）の前記部分（４ｃ）が前記弾性要素（８）と前記テンプル・アーム（５）との間で保持され、前記テンプル・アーム（５）が前記前フレーム（２）に対して開いた位置から閉じた位置に回動するとき、前記突出部（４）の前記開口部（９）と前記弾性要素（８）の前記第二の先端（８ｂ）との相対運動を通じて前記突出部（４）と前記テンプル・アーム（５）との間のヒンジ運動を実施し、
前記テンプル・アーム（５）の前記先端の前記一部分（５ｃ）には、前記突出部（４）の前記開口部（９）に挿通される前記弾性要素（８）の前記第二の先端（８ｂ）が嵌め込まれる空洞（１２）が形成され、
前記空洞（１２）は、連結された部分間の安定性と相互案内を確実にするために、前記テンプル・アーム（５）と前記突出部（４）との間の相対運動中でも前記弾性要素（８）の前記第二の先端（８ｂ）が前記空洞（１２）内に保持されたままとなる形状および寸法を有する
ことを特徴とする、眼鏡フレーム。
【請求項２】
前記弾性要素（８）は所定の弾性を有する帯状構造を有する、請求項１に記載の眼鏡フレーム。
【請求項３】
前記弾性要素（８）は金属製の帯状に構成される、請求項１または２に記載の眼鏡フレーム。
【請求項４】
前記弾性要素（８）の前記第一の先端（８ａ）は、前記テンプル・アーム（５）と、前記テンプル・アーム（５）に取り付けられるブリッジ本体（１１）とによって形成される座部（１０）に嵌め込まれる、請求項１〜３の何れか１項に記載の眼鏡フレーム。
【請求項５】
前記ブリッジ本体（１１）は、前記対応するテンプル・アーム（５）に溶接されている、請求項４に記載の眼鏡フレーム。
【請求項６】
前記突出部（４）の前記部分（４ｃ）と前記テンプル・アーム（５）の前記先端の前記一部分（５ｃ）は、少なくとも部分的に重なり合うように配置される、請求項１に記載のフレーム。
【請求項７】
少なくとも前記突出部（４）の前記部分（４ｃ）および前記テンプル・アーム（５）の前記先端の前記一部分（５ｃ）は帯形状を有し、前記突出部（４）の前記部分（４ｃ）および前記テンプル・アーム（５）の前記先端の前記一部分（５ｃ）は前記テンプル・アーム（５）が開いている状態で夫々の表面が重なり合うよう配置され、前記テンプル・アーム（５）が前記前フレーム（２）に対して閉じられている状態で前記突出部（４）の前記部分（４ｃ）および前記テンプル・アーム（５）の前記先端の前記一部分（５ｃ）が互いに対して略垂直に位置決めされる構成となるまで前記突出部（４）の前記部分（４ｃ）は前記弾性要素（８）の弾性に対抗して前記テンプル・アーム（５）に対して回動する、請求項６に記載の眼鏡フレーム。
【請求項８】
前記前フレーム（２）に対して前記テンプル・アーム（５）が極広に開かれた場合に前記弾性要素（８）と干渉して、前記テンプル・アーム（５）の、極広に開く方向への回動を制限する回動制限手段を更に備える、請求項１〜７の何れか１項に記載の眼鏡フレーム。
【請求項９】
前記回動制限手段は、前記突出部（４）の前記部分（４ｃ）から突出し、かつ、前記弾性要素（８）に設けられる接触表面（１９ａ）と干渉する、少なくとも一つの付属物（１８）であって、前記テンプル・アーム（５）が前記前フレーム（２）に対して極広に開かれた場合に前記テンプル・アーム（５）の所定の許容最大角度で前記接触表面（１９ａ）と当接する付属物（１８）を含む、請求項８に記載の眼鏡フレーム。
【請求項１０】
前記接触表面（１９ａ）は前記弾性要素（８）を貫通するスロット（１９）の対向する内側面の一方に設けられ、前記付属物（１８）は前記スロット（１９）の前記対向する内側面間で制限的に移動するよう前記スロット（１９）に嵌め込まれる、請求項９に記載の眼鏡フレーム。
【請求項１１】
前記付属物（１８）は、前記突出部（４）から突出する歯の形態で形成され、前記歯は、前記突出部（４）の前記自由縁（７）と同一平面内にある、請求項９または１０に記載の眼鏡フレーム。
【発明の詳細な説明】
【技術分野】
【０００１】
本発明は、眼鏡フレーム、特に、前フレームにテンプル・アームを関節接合する手段を有する眼鏡フレームに関する。
【背景技術】
【０００２】
テンプル・アームと前フレームとの間に、対応するピンと回動可能に連結されたヒンジ（hinge＝蝶番）板とを有するヒンジ装置によって提供される眼鏡フレームの具体的な技術的分野において、このような装置のヒンジの構成部品がフレームのテンプル・アームと前フレームに好適に固定されることは周知のことである。
【０００３】
公知の技術において提供されるフレームの多くのバージョンにおいて、この種の配置は、従来から、軽量タイプのフレームでの使用にあまり適さないヒンジ装置の重さの他に、ヒンジ・ピン又はねじの起こり得る望ましくない緩みや、ヒンジ取付に必要な複数の構成部品を製造する必要性、および必要な構成部品によって決定される寸法といった幾つかの制限を有している。
【０００４】
上記タイプの従来のヒンジ構造を設けない、フレームのテンプル・アームを前フレームにヒンジ付けする配置も公知である。一実施例は仏国公開特許公報ＦＲ  １００９３４５から公知であり、前フレームにテンプル・アームが弾性的に取り付けられているヒンジ・システムが記載されている。これにより、前フレームに対向するテンプル・アームの先端が十分な長さを夫々有する三つの別個の部分に分割され、それらの部分は相互に弾性的な挙動を示している。側部分と共に中央部分の曲がった先端が、フレームに設けられたピン形成部の周りでテンプル・アームを関節接合した状態で保持している。
【０００５】
このような配置は、テンプル・アームを幾つかの部分に細かく分割するためにテンプル・アームに対して特殊な製造処理を必要とすることに加え、テンプル・アームの材料の弾性特性に必然的に依存している。
【発明の概要】
【０００６】
本発明の主な目的は、公知の解決策を参照して説明した制限を克服するよう構造的且つ機能的に設計される、フレームの前フレームにテンプル・アームを関節接合させる手段を有し、特にフレームに組み付けることが簡単で、且つ特に細く軽量なフレームに適用できるよう特に軽量で小さい寸法を有する、テンプル・アームに対する関節接合手段（articulation means）の構造がよりシンプルな、眼鏡フレームを提供することである。
【０００７】
本発明の他の目的は、テンプル・アームを構成する材料とは独立してテンプル・アームに対する関節接合システムの弾性特性を提供することである。
【０００８】
本発明の更なる目的は、テンプル・アームが通常の開放角度を超えて非常に広く開かれた場合に弾性的挙動を示すことを可能にする関節接合手段が設けられたフレームを提供することである。
【０００９】
本発明の上述の目的、および以下から明らかになる他の目的は、添付の特許請求の範囲に応じて構成された眼鏡フレームにより実現される。
【図面の簡単な説明】
【００１０】
本発明の更なる特徴と利点は、添付図面を参照して非制限的に例示される好ましい実施の形態の以下の詳細な説明から明らかになる。
【図１】図１は、本発明により構成された眼鏡フレームを示す側立面図である。
【図２】図２は、図１のフレームの上面図である。
【図３】図３は、図１、図２のフレームの細部を拡大した部分の断面図である。
【図４】図４は、実施の形態の変形例であって、図３の細部の分解斜視図である。
【図４Ａ】図４Ａは、図３の細部の組み立てられた部分の斜視図である。
【図５】図５は、図３の細部の部分側立面図であって、フレームに対するテンプル・アームの完全に開いた状態を示している。
【図６】図６は、図３の細部の部分側立面図であって、フレームに対するテンプル・アームの閉じた状態を示している。
【図７】図７は、テンプル・アームの通常の開状態を超えた過度の開放動作が可能な実施の形態の更なる変形例であって、図３の細部の斜視図である。
【図８】図８は、図７の細部を拡大した斜視分解図である。
【図９】図９は、図８の細部の側立面図である。
【発明を実施するための形態】
【００１１】
図面には、レンズ３を保持する前フレーム２を有し、本発明により構成された眼鏡フレーム１が全体として示され、対応する一対のテンプル・アーム５と前フレーム２との間の関節接続（articulated connection）のため、前フレーム２の両端には、前フレーム２の横断方向に突出するよう延在する一対の突出部４が設けられている。
【００１２】
対応する突出部４への各テンプル・アーム５の関節接合取付のため、フレームは対応する関節接合手段６を有し、これにより、テンプル・アームが前フレームに対して開く位置と閉じる位置との間の回動が可能となる。
【００１３】
同一の構造と機能を有するため、この眼鏡フレームの前フレームに対する一方のテンプル・アームの関節接合手段だけを以下に詳細に説明する。
【００１４】
図面から明らかなように、テンプル・アーム５および対応する突出部４は、好ましい細長い形状を有している。つまりテンプル・アーム（および対応する突出部）の横断面は、眼鏡をかけたときに頭のこめかみ領域に対して略平行に測定されるテンプル・アームの垂直方向の寸法を有し、該寸法は高さに対して横方向に測定されるテンプル・アームの厚さよりも著しく大きい。好ましくは金属であり、選択された構成材料や薄い断面の形状により、全体として、軽量さ、小さな寸法、およびフレームの全体的なデザインが望ましい審美的インパクトを与えるようなテンプル・アームの特に細い長手軸方向の延長部といった特性をテンプル・アームに与えている。
【００１５】
上述の帯状構造（strip-shaped structure）に従って、テンプル・アーム５の厚さは対向する横面５ａ、５ｂの間に画成され、対応する突出部４の厚さも同様に突出部の対向する横面４ａ、４ｂによって境界付けされる。
【００１６】
対応する突出部４に面したテンプル・アーム５の先端５ｃは、耳の近傍でフレームを支持するに好適なテンプル・アームの末端と長手軸方向において反対側に位置している。同様に、対応する突出部４の端部４ｃは、テンプル・アームの先端５ｃに面し、端部４ｃは突出部の対応する自由縁７で終端している。
【００１７】
本発明の主な特徴によると、関節接合手段６は突出部４やテンプル・アーム５と構造的に独立した弾性要素（resiliently yielding element）８を有し、該要素はテンプル・アーム５に取り付けられる第一の先端８ａと、反対側の第二の先端８ｂを有している。先端８ｂは、突出部４を厚さ方向に貫通する開口部９と所定の連結遊びをもって係合され、開口部９はテンプル・アームに面する自由縁７から所定の距離をもって突出部の端部４ｃに形成される。これにより、弾性要素８の先端８ｂと突出部における開口部９との間の相対運動を通じて突出部４とテンプル・アーム５との間の対応するヒンジ運動が実施されるよう、自由縁７と開口部９との間に延在する突出部の部分４ｃが弾性要素８とテンプル・アーム５との間で閉じられ保持される。
【００１８】
弾性要素８もまた帯状構造を有し、金属材料よりなる薄い弾性片として形成されることが好ましい。要素８は、選択された材料と寸法に基づいて、所定の弾性を有している。好ましい選択によれば、弾性要素８は鋼からなり、特にクラス「ＡＩＳＩ  ３０１」の鋼よりなる。該鋼は、その弾性的に戻る能力や損壊に対する耐性（一般的に、構成部品の好適な熱処理により実現される）のため、典型的にはばね鋼等、弾性的に変形することが意図される構成部品の製造に有利には適している。弾性の面における特別な挙動に加え、上述のクラスの鋼は、最適な耐食性や良好な溶接性も示している。
【００１９】
一片の弾性要素８は、先端５ｃに近いテンプル・アームの部分と重なり合うよう配置され、主にテンプル・アームの面５ａ、つまり眼鏡をかけたときに頭に面するフレームの内側に面した面に位置している。
【００２０】
この帯状の要素の先端８ａは、テンプル・アーム５と好ましくは溶接によってテンプル・アームに取り付けられるブリッジ本体１１とによって一緒に形成される座部１０に組み込み式連結で係合されることでテンプル・アーム５に固定される。図３に示すように、ブリッジ１１は、テンプル・アームの横寸法内に収まり、対向する突出部１１ａ、１１ｂを面５ａに溶接することでテンプル・アームの内面５ａに取り付けられる。帯状の要素の先端８ａは、座部１０に組み込まれるよう挿入される。
【００２１】
反対側の先端８ｂでは、帯状の要素８は、テンプル・アームの先端の一部分５ｃと当接するまで、テンプル・アームの延長部の長手軸方向に対して横断方向に突出部４を貫通する開口部９と係合するよう帯状の要素８の平面に対して約９０°に弓形に曲げられる。これにより、突出部４の端部４ｃは、帯状の要素８とテンプル・アーム５との間で保持され、この帯状の要素８の弾性的な戻り力に対抗してテンプル・アーム５対して回動して移動され得る。
【００２２】
互いと係合し、長方形のプロフィールを有するように好ましくは選択される開口部９と帯状の要素の先端８ｂの横断面は、帯状の要素の先端８ｂが開口部の幅（突出部とテンプル・アームが延在する長手軸方向に測定される）によって制限される動きを通じて開口部９内で移動し得るよう、部品間で連結遊びを設ける寸法を有している。この動きは、回動および並進運動が合わさった運動であり、該運動により、テンプル・アームと突出部の間の関節接合により結果として生じる相対運動が行われる。
【００２３】
テンプル・アーム５の方向に向けられた開口部９を通る帯状の要素８の先端８ｂの部分は、テンプル・アームに設けられた空洞１２に制限された遊びをもって収容され、該空洞は、図面に明確に例示されるように、テンプル・アームを通るよう形成されることが好ましい。突出部とテンプル・アームとの間の相対的な回動運動中、帯状の要素８は、テンプル・アームが開いている位置（図５）と閉じている位置（図６）との間でテンプル・アームから離れるよう曲げられ（弾性的に変形され）、帯状の要素の先端８ｂと該先端が収容される空洞１２との間の相対運動が結果として生ずる。連結された部分間の安定性と相互案内を確実にするために、テンプル・アームと突出部との間の相対運動中でも帯状の要素の先端８ｂが空洞内に保持されたままとなるような形状および寸法を有する空洞１２が選択される。
【００２４】
図６は、フレームに対してテンプル・アーム５が閉じられている場合の動作状態を示し、突出部とテンプル・アームとの間の相対的な回動後は、突出部の自由縁７がテンプル・アームに対して支持接触している状態で突出部の端部４ｃがテンプル・アームの先端５ｃに対して略垂直になる構造が実現される。テンプル・アームを図５に示す構造に開くための反対の回動運動中、変形の効果により帯状の要素８が付与する弾性的な戻り力は、テンプル・アームが開いている状態に到達するまで、テンプル・アームを開くために付随して起こる運動を補助する。この状態では、突出部の面４ｂとテンプル・アームの面５ａが支持表面接触している状態で、突出部の端部４ｃがテンプル・アームの対応する先端５ｃと実質的に重なり合っている。
【００２５】
特にテンプル・アームが特に薄い断面で構成される状況下では、金属材料、例えば鋼、特に（ブリッジをテンプル・アームに取り付けるための）良好な溶接性、良好な耐食性、および十分な機械的強さを提供する鋼が、テンプル・アーム５の本体、突出部４、およびブリッジ１１を取り付ける帯状の要素８を構成するために使用されることが好ましい。例えば鋼のＡＩＳＩ３１６Ｌクラスの選択が好ましい。
【００２６】
弾性的な帯状の要素８がテンプル・アーム５と突出部４の両方と構造的に独立しているといった本発明の主な特徴の一つにより、要求される機能的特徴に関して選択を最適化するようテンプル・アームと弾性片に異なる材料を選択すること、この要素（例えばばね鋼）を製造する際に非常に良好な弾性特性を有する材料、更に突出部とブリッジを取り付ける片に加えて、テンプル・アームを製造する際に良好な溶接性、機械的強さ、耐食性を有する材料を選ぶことが可能である。
【００２７】
図４と図４Ａは、テンプル・アーム５に帯状の要素８を固定する手段として、弾性クリップ１５を設ける点で先の実施の形態とは異なった、フレーム１の実施の形態の変形例を例示している。このクリップは、自由先端５ｃから所定の距離で帯状の要素の先端８ａをテンプル・アーム５に圧入するのに好適な、基部１５ｃと対向して基部１５ｃから立ち上がる一対の脚部１５ａ、１５ｂを有している。
【００２８】
図７〜図９は、対応する弾性的な戻りで開状態へのより広い開放運動を実施するようにフレームのテンプル・アーム５が設計される点で第一の実施の形態とは異なった、フレームの更なる変形例を例示している。つまり、対応する突出部４にテンプル・アーム５を関節接合する手段は、テンプル・アーム５が、解放された際に通常の開位置に戻るために通常の開位置を超えて開かれるように設計される。
【００２９】
弾性要素８の先端８ｂと突出部４の開口部９との間の相対運動を可能にするために、テンプル・アームが極広に開かれる場合、先端８ｂが閉位置から、開位置を通って、極広位置までテンプル・アームの前後進運動全体にわたって開口部（組み合わされた回転／並進運動を通じて）内で移動し得るよう、長手方向の延長部の方向に測定される開口部９の幅は先の実施の形態（テンプル・アームがより広く開かない）における幅よりも大きく形成される。
【００３０】
フレームは、極広開状態におけるテンプル・アームと前フレームとの間の角度の所定の最大値までテンプル・アームが移動できるよう、極広方向におけるテンプル・アーム５の回動を制限する手段も有している。
【００３１】
制限手段は、帯状の要素８を貫通するスロット１９に動きが制限されるように収容される、突出部４の端部４ｃから突出する付属物１８を有している。スロットは、帯状の要素８の先端８ｂの近くに位置し、接触表面１９ａをその先端に有している。テンプル・アームが極広に開かれた位置では、付属物１８は接触表面１９ａに対して当接する。
【００３２】
付属物１８は、突出部の面４ａ（帯状の要素８に面している）から突出する歯の形態で形成されることが好ましい。図８に明確に例示されるように、該歯は突出部の端部分４ｃの自由縁７と同一平面にある。
【００３３】
付属物１８は、テンプル・アーム５が極広に開かれるとき、接触表面１９ａと干渉し、テンプル・アーム５が極広位置の許容最大値まで開かれるとき、接触表面１９ａに当接してテンプル・アーム５の更なる動きを防止する。テンプル・アーム５がこの状態から解放されるとき、弾性的な帯状の要素８によって付与される弾性的な戻り力の結果、テンプル・アーム５は開位置に戻される。
【００３４】
したがって、本発明は、公知の解決策と比較して多数の利点を提供しつつ、上述の目的を達成している。
【００３５】
一つの主な利点は、弾性要素が突出部とテンプル・アームとの間に設けられ、テンプル・アームとは独立して構成されるため、テンプル・アームと弾性要素の夫々に対して異なる構成材料を用いることができ、フレームのこれら構成部品夫々の機能的要件を最適化できる点である。
【００３６】
更なる利点は、本発明によるフレームにより、突出部とテンプル・アームとの間の関節の要素が、ヒンジ接合のためのねじまたはねじ付きピンの手段を設けることなく、簡単且つ迅速に組み付けることができる点であり、それにより、長期にわたって有利には信頼性が高まり、組み立て／取り外しの際に動作がより簡単になる。
【００３７】
更なる他の利点は、構成が簡潔であることと、装置の部品数が限定されていることであり、これらの特徴により全体的な寸法が極めて小さい、特に軽いタイプの眼鏡を構成することが可能となる。
【図１】
0006648016.tif 000002
【図２】
0006648016.tif 000003
【図３】
0006648016.tif 000004
【図４】
0006648016.tif 000005
【図４Ａ】
0006648016.tif 000006
【図５】
0006648016.tif 000007
【図６】
0006648016.tif 000008
【図７】
0006648016.tif 000009
【図８】
0006648016.tif 000010
【図９】
0006648016.tif 000011